(57)【特許請求の範囲】
【請求項１】
１以上の項目と前記各項目に対応する各情報とを表示する情報セット表示手段と、
前記項目の選択により、前記項目の絞り込み条件のうち、１以上の絞り込み条件をメニュー表示する条件表示手段と、
前記絞り込み条件の選択により、前記表示された項目と前記項目に対応する情報とについて、前記選択した絞り込み条件に該当する１以上の絞り込み項目と前記各絞り込み各項目に対応する各絞り込み情報とを表示する絞り込み情報セット表示手段とを有し、
前記条件表示手段と前記絞り込み情報セット表示手段とを、交互に実行可能であり、
前記条件表示手段は、ｎ回目（ｎは、２以上の整数）以降の実行において、ｎ−１回目以前の実行で未選択の絞り込み条件を表示することを特徴とする情報表示装置。
【請求項２】
前記情報セット表示手段および前記絞り込み情報セット表示手段は、それぞれ、前記項目と前記項目に対応する情報とを、テーブル形式およびグラフ形式の少なくとも一方の形式で表示する、請求項１記載の情報表示装置。
【請求項３】
さらに、条件非表示手段を含み、
前記条件非表示手段は、前記条件表示手段でメニュー表示された絞り込み条件のうち、いずれかを選択することにより、選択した絞り込み条件について、非表示をメニュー表示し、前記非表示の選択により、前記選択した絞り込み条件を非表示とする、請求項１または２記載の情報表示装置。
【請求項４】
さらに、情報非表示手段を含み、
前記情報非表示手段は、前記条件非表示手段により非表示と選択した前記絞り込み条件に該当する情報を、非表示とする、請求項３記載の情報表示装置。
【請求項５】
さらに、条件再表示手段を含み、
前記条件再表示手段は、前記項目の選択により、前記非表示の絞り込み条件の再表示をメニュー表示し、前記再表示の選択により、前記非表示の絞り込み条件を再表示する、請求項３または４記載の情報表示装置。
【請求項６】
さらに、情報再表示手段を含み、
前記情報再表示手段は、前記条件再表示手段により再表示と選択した前記絞り込み条件に該当する情報を、再表示する、請求項５記載の情報表示装置。
【請求項７】
さらに、入替表示手段を含み、
前記入替表示手段は、表示された前記各項目のいずれかを選択することにより、前記選択した項目とそれに対応する情報とを、最上位の情報セットとして、最上位に入れ替えて表示する、請求項１から６のいずれか一項に記載の情報表示装置。
【請求項８】
前記入替表示手段は、
前記最上位の情報セットと、前記最上位の情報セットからの絞り込み情報セットとを、最上位の情報セットグループとして、最上位に入れ替えて表示する、請求項７記載の情報表示装置。
【請求項９】
さらに、ページ表示手段を含み、
前記ページ表示手段は、表示された前記各項目のいずれかを選択することにより、前記選択した項目とそれに対応する情報とを、最上位の情報セットとして表示するページに移動する、請求項１から８のいずれか一項に記載の情報表示装置。
【請求項１０】
前記ページ表示手段は、
前記最上位の情報セットと、前記最上位の情報セットからの絞り込み情報セットとを、前記ページに表示する、請求項９記載の情報表示装置。
【請求項１１】
さらに、分析情報表示手段を含み、
前記分析情報表示手段は、前記選択した項目に対する前記絞り込み情報セットを、分析情報としてグラフ形式で表示する、請求項１から１０のいずれか一項に記載の情報表示装置。
【請求項１２】
１以上の項目と前記各項目に対応する各情報とを表示する情報セット表示工程と、
前記項目の選択により、前記項目の絞り込み条件のうち、１以上の絞り込み条件をメニュー表示する条件表示工程と、
前記絞り込み条件の選択により、前記表示された項目と前記項目に対応する情報とについて、前記選択した絞り込み条件に該当する１以上の絞り込み項目と前記各絞り込み各項目に対応する各絞り込み情報とを表示する絞り込み情報セット表示工程とを有し、
前記条件表示工程と前記情報セット表示工程とが、交互に実行可能であり、
前記条件表示工程は、ｎ回目（ｎは、２以上の整数）以降の実行において、ｎ−１回目以前の実行で未選択の絞り込み条件を表示することを特徴とする情報表示方法。
【請求項１３】
前記情報セット表示工程および前記絞り込み情報セット表示工程は、それぞれ、前記項目と前記項目に対応する情報とを、テーブル形式およびグラフ形式の少なくとも一方の形式で表示する、請求項１２記載の情報表示方法。
【請求項１４】
さらに、条件非表示工程を含み、
前記条件非表示工程は、前記条件表示工程でメニュー表示された絞り込み条件のうち、いずれかを選択することにより、選択した絞り込み条件について、非表示をメニュー表示し、前記非表示の選択により、前記選択した絞り込み条件を非表示とする、請求項１２または１３記載の情報表示方法。
【請求項１５】
さらに、情報非表示工程を含み、
前記情報非表示工程は、前記条件非表示工程により非表示と選択した前記絞り込み条件に該当する情報を、非表示とする、請求項１４記載の情報表示方法。
【請求項１６】
さらに、条件再表示工程を含み、
前記条件再表示工程は、前記項目の選択により、前記非表示の絞り込み条件の再表示をメニュー表示し、前記再表示の選択により、前記非表示の絞り込み条件を再表示する、請求項１４または１５記載の情報表示方法。
【請求項１７】
さらに、情報再表示工程を含み、
前記情報再表示工程は、前記条件再表示工程により再表示と選択した前記絞り込み条件に該当する情報を、再表示する、請求項１６記載の情報表示方法。
【請求項１８】
さらに、入替表示工程を含み、
前記入替表示工程は、表示された前記各項目のいずれかを選択することにより、前記選択した項目とそれに対応する情報とを、最上位の情報セットとして、最上位に入れ替えて表示する、請求項１２から１７のいずれか一項に記載の情報表示方法。
【請求項１９】
前記入替表示工程は、
前記最上位の情報セットと、前記最上位の情報セットからの絞り込み情報セットとを、最上位の情報セットグループとして、最上位に入れ替えて表示する、請求項１８記載の情報表示方法。
【請求項２０】
さらに、ページ表示工程を含み、
前記ページ表示工程は、表示された前記各項目データのいずれかを選択することにより、前記選択した項目データとそれに対応する情報とを、最上位の情報セットとして表示するページに移動する、請求項１２から１９のいずれか一項に記載の情報表示方法。
【請求項２１】
前記ページ表示工程は、
前記最上位の情報セットと、前記最上位の情報セットからの絞り込み情報セットとを、前記ページに表示する、請求項２０記載の情報表示方法。
【請求項２２】
さらに、分析情報表示工程を含み、
前記分析情報表示工程は、前記選択した項目に対する前記絞り込み情報セットを、分析情報としてグラフ形式で表示する、請求項１２から２１のいずれか一項に記載の情報表示方法。
【請求項２３】
端末とサーバとを含み、
前記端末と前記サーバとは、システム外の通信回線網を介して、接続可能であり、
前記端末は、
１以上の項目と前記各項目に対応する各情報とを表示する情報セット表示手段と、
前記項目の選択により、前記項目の絞り込み条件のうち、１以上の絞り込み条件をメニュー表示する条件表示手段と、
前記絞り込み条件の選択により、前記表示された項目と前記項目に対応する情報とについて、前記選択した絞り込み条件に該当する１以上の絞り込み項目と前記各絞り込み各項目に対応する各絞り込み情報とを表示する絞り込み情報セット表示手段とを有し、
前記条件表示手段と前記絞り込み情報セット表示手段とを、交互に実行可能であり、
前記条件表示手段は、ｎ回目（ｎは、２以上の整数）以降の実行において、ｎ−１回目以前の実行で未選択の絞り込み条件を表示し、
前記サーバは、情報記憶手段を含み、
前記情報記憶手段は、前記項目および前記項目に対応する情報、前記絞り込み条件、ならびに、前記絞り込み項目および前記絞り込み項目に対応する絞り込み情報を記憶していることを特徴とする情報表示システム。
【請求項２４】
請求項１２から２２のいずれか一項に記載の情報表示方法をコンピュータ上で実行可能なことを特徴とするプログラム。
【請求項２５】
請求項２４記載のプログラムを記録していることを特徴とする、コンピュータ読み取り可能な記録媒体。
【発明の詳細な説明】
【技術分野】
【０００１】
本発明は、情報表示装置、情報表示方法、情報表示システム、プログラム、および記録媒体に関する。
【背景技術】
【０００２】
複数の項目に対応する各表示情報を表示する方法として、例えば、ツリーグリッドが知られている。前記ツリーグリッドでは、項目情報が階層化されている。そして、表示画像に表示されている項目を選択すると、前記選択された項目の１つ下の階層に含まれる項目および前記項目に対応する情報を取得し、前記表示画像に表示する（非特許文献１）。
【先行技術文献】
【非特許文献】
【０００３】
【非特許文献１】Jenifer  Tidwell著、ソシオメディア株式会社監訳、浅野紀予訳、「デザイニング・インターフェース  パターンによる実践的インタラクションデザイン」、オライリー・ジャパン、２００７年１月発行、１９７頁
【発明の概要】
【発明が解決しようとする課題】
【０００４】
しかしながら、前記ツリーグリッドでは、前述のように、選択した項目について表示されるのは、前記選択項目の１つ下の階層に含まれる項目とそれに対応する情報のみである。このため、項目に対応する情報は、階層に沿って、段階的にしか見られないという問題がある。例えば、ツリーグリッドで、総売上額の項目情報を表示した場合、最上位の項目である製品売上額について、１つ下の階層として、製品別売上、年度別売上、地域別売上等の絞り込み条件が表示された場合、年度別売上の絞り込み条件を選択すると、その後は、月別売上、週別売上、というように、期間をさらに絞り込むための絞り込み条件の表示に限定される。
【０００５】
そこで、本発明は、ユーザーが所望する条件で絞り込みが行われた情報を容易に表示可能な情報表示装置、情報表示方法、情報表示システム、プログラム、および記録媒体の提供を目的とする。
【課題を解決するための手段】
【０００６】
前記目的を達成するために、本発明の情報表示装置は、
１以上の項目と前記各項目に対応する各情報とを表示する情報セット表示手段と、
前記項目の選択により、前記項目の絞り込み条件のうち、１以上の絞り込み条件をメニュー表示する条件表示手段と、
前記絞り込み条件の選択により、前記表示された項目と前記項目に対応する情報とについて、前記選択した絞り込み条件に該当する１以上の絞り込み項目と前記各絞り込み各項目に対応する各絞り込み情報とを表示する絞り込み情報セット表示手段とを有し、
前記条件表示手段と前記情報セット表示手段とを、交互に実行可能であり、
前記条件表示手段は、ｎ回目（ｎは、２以上の整数）以降の実行において、ｎ−１以前の実行で未選択の絞り込み条件を表示することを特徴とする。
【０００７】
本発明の絞り込み情報の表示方法は、
１以上の項目と前記各項目に対応する各情報とを表示する情報セット表示工程と、
前記項目の選択により、前記項目の絞り込み条件のうち、１以上の絞り込み条件をメニュー表示する条件表示工程と、
前記絞り込み条件の選択により、前記表示された項目と前記項目に対応する情報とについて、前記選択した絞り込み条件に該当する１以上の絞り込み項目と前記各絞り込み各項目に対応する各絞り込み情報とを表示する絞り込み情報セット表示工程とを有し、
前記条件表示工程と前記情報セット表示工程とを、交互に実行可能であり、
前記条件表示工程は、ｎ回目（ｎは、２以上の整数）以降の実行において、ｎ−１以前の実行で未選択の絞り込み条件を表示することを特徴とする。
【０００８】
本発明の情報表示システムは、
端末とサーバとを含み、
前記端末と前記サーバとは、システム外の通信回線網を介して、接続可能であり、
前記端末は、
１以上の項目と前記各項目に対応する各情報とを表示する情報セット表示手段と、
前記項目の選択により、前記項目の絞り込み条件のうち、１以上の絞り込み条件をメニュー表示する条件表示手段と、
前記絞り込み条件の選択により、前記表示された項目と前記項目に対応する情報とについて、前記選択した絞り込み条件に該当する１以上の絞り込み項目と前記各絞り込み各項目に対応する各絞り込み情報とを表示する絞り込み情報セット表示手段とを有し、
前記条件表示手段と前記絞り込み情報セット表示手段とを、交互に実行可能であり、
前記条件表示手段は、ｎ回目（ｎは、２以上の整数）以降の実行において、ｎ−１回目以前の実行で未選択の絞り込み条件を表示し、
前記サーバは、情報記憶手段を含み、
前記情報記憶手段は、前記項目および前記項目に対応する情報、前記絞り込み条件、ならびに、前記絞り込み項目および前記絞り込み項目に対応する絞り込み情報を記憶していることを特徴とする。
【０００９】
本発明のプログラムは、前記本発明の情報表示方法をコンピュータ上で実行可能なことを特徴とする。
【００１０】
本発明の記録媒体は、前記本発明のプログラムを記録していることを特徴とする。
【発明の効果】
【００１１】
本発明によれば、ユーザーが所望する条件で絞り込みが行われた情報を容易に表示することができる。
【図面の簡単な説明】
【００１２】
【図１】図１は、本実施形態の表示分析システム１００の一例の構成を示すブロック図である。
【図２】図２（ａ）〜（ｅ）は、表示装置２の各構成要素の説明図である。
【図３】図３（ａ）〜（ｄ）は、表示装置２の各構成要素の説明図である。
【図４】図４（ａ）〜（ｃ）は、表示装置２の各構成要素の説明図である。
【図５】図５（ａ）〜（ｂ）は、表示装置２の各構成要素の説明図である。
【図６】図６（ａ）〜（ｂ）は、表示装置２の各構成要素の説明図である。
【図７】図７は、本実施形態の表示方法の一例を示すフローチャートである。
【図８】図８は、本実施形態の表示方法の具体例の一部を示す説明図である。
【図９】図９は、本実施形態の表示方法の具体例の一部を示す説明図である。
【図１０】図１０は、本実施形態の表示方法の具体例の一部を示す説明図である。
【図１１】図１１は、本実施形態の表示方法の具体例の一部を示す説明図である。
【図１２】図１２は、本実施形態の表示方法の具体例の一部を示す説明図である。
【図１３】図１３は、本実施形態の表示方法の具体例の一部を示す説明図である。
【図１４】図１４は、本実施形態の表示方法の具体例の一部を示す説明図である。
【発明を実施するための形態】
【００１３】
本発明において、前記項目名およびそれに対応する各情報は、特に制限されず、本発明の表示装置を使用する分野により適宜決定できる。前記使用分野は、特に制限されず、複数の項目を扱う分野があげられ、例えば、業務管理分野、小売分野、教育分野、医療分野、行政分野等があげられる。
【００１４】
前記使用分野が業務管理分野の場合、前記各情報は、例えば、業績管理に関する情報があげられ、具体的には、受注先、契約内容、契約形態、プロジェクト名等の契約情報、予算額、執行額、販売原価等の会計情報、契約日、執行日等の日付情報、人員数、人員名等の人員情報、進捗見込、進捗実績等の進捗情報等の情報があげられる。
【００１５】
前記使用分野が小売分野の場合、前記各情報は、例えば、商品管理に関する情報があげられ、具体的には、仕入額、販売額、仕入数、販売数、在庫数、仕入元、販売先等の仕入販売情報、仕入日、販売日等の日付情報、商品管理者、販売員等の人員情報等の情報があげられる。
【００１６】
前記使用分野が教育分野の場合、前記各情報は、例えば、教員および生徒に関する情報があげられ、具体的には、教員の氏名、生徒の氏名、生徒の保護者の氏名等の氏名情報、教員の住所、生徒の住所、生徒の保護者の住所等の住所情報、教科の評点および評価コメント等の評価情報等の情報があげられる。
【００１７】
前記使用分野が医療分野の場合、前記各情報は、例えば、患者に関する情報があげられ、具体的には、担当医師名、患者名等の氏名情報、医療費、薬剤費、検査費等の会計情報、受診日、再診日、検査日等の日付情報、既往歴、調剤履歴等の履歴情報等の情報があげられる。
【００１８】
前記使用分野が行政分野の場合、前記各情報は、例えば、住民に関する情報があげられ、具体的には、家族構成、氏名、住所等の世帯情報等の情報があげられる。
【００１９】
本発明において、「選択する」とは、例えば、表示画面において、特定の項目または特定の絞り込み条件が表示された領域にマウスポインタを合わせることであってもよいし、さらに、前記マウスポインタを合わせた上でクリック操作を行うことであってもよい。
【００２０】
以下、本発明の情報表示装置、情報表示方法、情報表示システム、プログラム、および記録媒体について説明する。なお、本発明は、以下の説明に限定されない。以下の図１から図１４において、同一部分には、同一符号を付している。また、各実施形態の説明は、特に言及がない限り、互いの説明を援用できる。さらに、各実施形態の構成は、特に言及がない限り、組合せ可能である。
【００２１】
［実施形態１］
図１は、本実施形態の情報表示システム１００の一例の構成を示すブロック図である。情報表示システム１００は、端末１およびサーバ２を含む。端末１は、情報表示装置１０を含み、サーバ２は、情報記憶部としてデータベース２０を含む。端末１およびサーバ２は、通信回線網３を介して接続可能である。通信回線網３は、特に制限されず、公知の通信回線網を使用でき、具体的には、例えば、インターネット回線、電話回線、ＬＡＮ（Ｌｏｃａｌ  Ａｒｅａ  Ｎｅｔｗｏｒｋ）等があげられ、無線でもよいし、有線でもよい。
【００２２】
データベース２は、後述する前記項目および前記項目に対応する情報、前記項目の絞り込み条件、ならびに、前記絞り込み項目および前記絞り込み項目に対応する絞り込み情報が、記憶されている。
【００２３】
次に、情報表示装置１０の構成について説明する。図１に示す情報表示装置１０は、情報セット表示手段１１、条件表示手段１２、および絞り込み情報セット表示手段１３を、必須構成要素として含む。以下、各構成要素を図２（ａ）〜（ｅ）の説明図を用いて説明する。
【００２４】
情報セット表示手段１１は、１以上の項目と前記各項目に対応する各情報とを表示する。図２（ａ）は、情報セット表示手段１１により表示される各項目および前記各項目に対応する情報１１０の一例を示す。以下、前記項目および前記項目に対応する情報を合わせて、「情報セット」という。同図に示すように、情報セット１１０は、テーブル形式で表示されており、縦方向に項目１〜３が表示され、横方向に項目Ａ〜Ｃが表示され、縦方向の項目と横方向の項目とが交差する領域に、前記両項目に対応する情報が表示されている。具体的には、縦方向の項目が、項目１であり、横方向の項目が項目Ａである場合には、対応する情報１Ａが表示される。
【００２５】
条件表示手段１２は、前記項目の選択により、前記項目の絞り込み条件のうち、１以上の絞り込み条件をメニュー表示する。図２（ｂ）は、条件表示手段１２により表示されるメニュー１２０Ａの一例を示す。同図に示すように、項目３が選択された場合、項目３の下にメニュー１２０Ａが表示される。メニュー１２０Ａには、条件１〜３が表示されており、各条件が前記絞り込み条件に該当する。
【００２６】
絞り込み情報セット表示手段１３は、前記絞り込み条件の選択により、前記表示された項目と前記項目に対応する情報とについて、前記選択した絞り込み条件に該当する１以上の絞り込み項目と前記各絞り込み各項目に対応する各絞り込み情報とを表示する。図２（ｃ）は、絞り込み情報セット表示手段１３により表示された前記絞り込み項目および前記各絞り込み項目に対応する各絞り込み情報１３０の一例を示す。以下、前記絞り込み項目および前記絞り込み情報を合わせて、「絞り込み情報セット」という。同図に示すように、条件３を選択した場合、縦方向に項目３１〜３３が表示され、項目Ａ〜Ｃの各項目と対応する情報が表示されている。例えば、縦方向の項目が、項目３１であり、横方向の項目が項目Ａである場合には、対応する情報３１Ａが表示されている。
【００２７】
本実施形態の情報表示装置１は、条件表示手段１２と絞り込み情報セット表示手段１３とを交互に実行可能である。図２（ａ）〜（ｃ）のフローにより、本実施形態の情報表示装置１は、条件表示手段１２および絞り込み情報セット表示手段１３の実行が１回行われたことになり、さらに、条件表示手段１２および絞り込み情報セット表示手段１３を繰り返し実行することで、さらなる絞り込みを行うことができる。
【００２８】
条件表示手段１２は、ｎ回目（ｎは、２以上の整数）以降の実行において、ｎ−１回目以前の実行で未選択の絞り込み条件を表示する。図２（ｄ）は、条件表示手段１２により表示されるメニュー１２０Ｂの一例を示す。同図に示すように、項目３３が選択され、項目３３の下にメニュー１２０Ｂが表示されている。メニュー１２０Ｂには、メニュー１２０Ａと同様に条件１〜３が表示されている。条件３は、既に選択された絞り込み条件であるため、灰色で表示されており、選択できないように設定されている。なお、既に選択された絞り込み条件は、例えば、非表示とすることもできる。
【００２９】
絞り込み情報セット表示手段１３は、前記絞り込み条件の選択により、前記表示された項目と前記項目に対応する情報とについて、前記選択した絞り込み条件に該当する１以上の絞り込み項目と前記各絞り込み各項目に対応する各絞り込み情報とを表示する。図２（ｅ）は、絞り込み情報セット１５０の一例を示す。同図に示すように、条件２を選択した場合、縦方向に項目２１〜２３が表示され、項目Ａ〜Ｃの各項目と対応する情報が表示されている。例えば、縦方向の項目が、項目２１であり、横方向の項目が項目Ａである場合には、対応する情報２１Ａが表示される。
【００３０】
本実施形態の情報表示装置１は、例えば、未選択の絞り込み条件が存在しなくなるまで、条件表示手段１２および絞り込み情報セット表示手段１３を交互に実行してもよい。例えば、図２（ａ）〜（ｅ）の説明図の場合、条件１は、選択されていないので、条件表示手段１２および絞り込み情報セット表示手段１３を、さらに１回実行してもよい。
【００３１】
図２（ａ）〜（ｅ）の説明図では、各情報セットおよび各絞り込み情報セットは、テーブル形式で表示されているが、本実施形態の情報表示装置は、これに限定されない。例えば、前記各情報セットおよび各絞り込み情報セットは、グラフ形式で表示されてもよいし、テーブル形式およびグラフ形式の双方で表示されてもよい。
【００３２】
一般的なツリーグリッドは、前述の通り、表示された特定の項目を選択すると、その項目の下位にある項目およびそれに対応する情報のみを展開し表示する。
【００３３】
これに対し、本実施形態の情報表示装置１では、条件表示手段１２により、絞り込み条件がメニュー表示され、表示された絞り込み条件の中から特定の絞り込み条件を選択することにより、前記表示された項目と前記項目に対応する情報とを絞り込む絞り込み条件が表示される。前記絞り込み条件は、例えば、ユーザーの好みに合わせて任意に設定可能であり、例えば、情報セット表示手段１１により表示された各項目から１回の選択で、特定の条件で絞り込んだ項目およびそれに対応する情報を表示でき、さらに、別の条件で絞り込んだ項目およびそれに対応する情報を表示できる。このように、本実施形態の情報表示装置１は、所望の条件で目的項目の情報を容易に表示可能である。
【００３４】
本実施形態において、情報表示装置１は、さらに、条件非表示手段を含んでもよい。前記条件非表示手段は、条件表示手段１２でメニュー表示された絞り込み条件のうち、いずれかを選択することにより、選択した絞り込み条件に付いて、非表示をメニュー表示し、前記非表示の選択により、前記選択した絞り込み条件を非表示とする。
【００３５】
本実施形態において、情報表示装置１は、さらに、情報非表示手段を含んでもよい。前記情報非表示手段は、前記条件非表示手段により非表示と選択した前記絞り込み条件に該当する情報を、非表示とする。
【００３６】
本実施形態において、情報表示装置１は、さらに、条件再表示手段を含んでもよい。前記条件再表示手段は、前記項目の選択により、前記非表示の絞り込み条件の再表示をメニュー表示し、前記再表示の選択により、前記非表示の絞り込み条件を再表示する。
【００３７】
本実施形態において、情報表示装置１は、さらに、情報再表示手段を含んでもよい。前記情報再表示手段は、前記条件再表示手段により再表示と選択した前記絞り込み条件に該当する情報を、再表示する。
【００３８】
以下、前記条件非表示手段、情報非表示手段、条件再表示手段、および情報再表示手段の各手段について、図３（ａ）〜（ｄ）の説明図を用いて説明する。図３（ａ）に示すように、前記条件非表示手段により、選択した絞り込み条件（ここでは、条件３）を非表示とするための非表示メニュー「この行を非表示にする」２２０Ａが表示される。そして、前記非表示を選択することにより、前記選択した絞り込み条件を非表示とする。具体的には、例えば、図３（ｂ）に示すように、前記情報非表示手段により、前記非表示と選択した前記絞り込み条件（ここでは、条件３）に該当する情報を、非表示とする。なおなお、図３（ｂ）では、前記絞り込み条件の条件３に該当する情報が全て非表示とされているが、その一部の情報（例えば、項目３３とそれに対応する情報）が非表示とされていてもよい。
【００３９】
次に、図３（ｃ）に示すように、前記項目（ここでは、項目３３）の選択により、前記非表示の絞り込み条件の再表示をメニュー２２０Ｂで表示し、前記再表示の選択により、前記非表示の絞り込み条件を再表示する。具体的には、例えば、図３（ｄ）に示すように、前記情報再表示手段により、前記条件再表示手段により再表示と選択した前記絞り込み条件（ここでは、条件３）に該当する情報を再表示する。なお、図３（ｄ）では、前記絞り込み条件の条件３に該当する情報が全て再表示とされているが、その一部の情報（例えば、項目３３とそれに対応する情報）のみ再表示とされていてもよい。
【００４０】
このように、本実施形態の情報表示装置１は、前記各手段を含むことにより、例えば、不要な項目とそれに対応する情報とを非表示にし、必要に応じて非表示にした項目とそれに対応する情報とを再表示可能である。これにより、目的項目の情報を容易に見つけ出すことができ、例えば、目的項目の情報について分析し易くなる。
【００４１】
本実施形態において、情報表示装置１は、さらに、入替表示手段を含んでもよい。前記入替表示手段は、表示された前記各項目のいずれかを選択することにより、前記選択した項目とそれに対応する情報とを、最上位の情報セットとして、最上位に入れ替えて表示する。前記入替表示手段は、前記最上位の情報セット、および前記最上位の情報セットからの絞り込み情報セットを、最上位の情報セットグループとして、最上位に入れ替えて表示することが好ましい。
【００４２】
以下、前記入替表示手段について、図４（ａ）〜（ｃ）の説明図を用いて、さらに説明する。図４（ａ）に示すように、前記入替表示手段は、最上位に入れ替える項目を選択するために入替メニュー「この行を最上位にする」４２０を表示してもよい。項目３３を選択することにより、図４（ｂ）に示すように、前記選択した項目３３とそれに対応する情報とを、最上位の情報セット４５０として、最上位に入れ替えて表示する。この場合、図４（ｃ）に示すように、例えば、前記最上位の情報セット（項目３３とそれに対応する情報）、および前記最上位の情報セットからの絞り込み情報セット（項目２１〜２３と各項目に対応する情報）を、最上位の情報セットグループ４５０として、最上位に入れ替えて表示してもよい。
【００４３】
図４（ａ）の説明図では、メニュー４２０において、前記入替メニューは、絞り込み条件を表示するメニューと一体化されているが、本実施形態の表示装置１は、これに限定されず、両メニューは分離されていてもよい。
【００４４】
このように、本実施形態の情報表示装置１は、前記入替表示手段を含むことにより、目的項目の情報を容易に見つけ出すことができ、例えば、目的項目の情報について分析し易くなる。
【００４５】
本実施形態において、情報表示装置１は、さらに、ページ表示手段を含んでもよい。前記ページ表示手段は、表示された前記各項目のいずれかを選択することにより、前記選択した項目とそれに対応する情報とを、最上位の情報セットとして表示するページに移動する。前記ページ表示手段は、前記最上位の情報セットと、前記最上位の情報セットからの絞り込み情報セットとを、前記ページに表示することが好ましい。
【００４６】
以下、前記ページ表示手段について、図５（ａ）〜（ｂ）の説明図を用いて、さらに説明する。図５（ａ）に示すように、前記ページ表示手段は、最上位の情報セットとして表示するページに移動するための項目を選択するために移動メニュー「この行のページに移動」５２０を表示してもよい。項目３３を選択することにより、図５（ｂ）に示すように、前記選択した項目３３とそれに対応する情報とを、最上位の情報セットとして表示するページ５５０に移動する。ページ５５０では、例えば、項目３３ならびにそれを絞り込む項目Ｘおよび項目Ｙと、各項目に対応する情報がテーブル形式およびグラフ形式で表示される。
【００４７】
図５（ａ）の説明図では、メニュー５２０において、前記移動メニューは、絞り込み条件を表示するメニューと一体化されているが、本実施形態の表示装置１は、これに限定されず、両メニューは分離されていてもよい。
【００４８】
本実施形態の情報表示装置１は、前記ページ表示手段を含むことにより、目的項目内の情報について分析し易くなる。
【００４９】
本実施形態において、情報表示装置１は、さらに、分析情報表示手段を含んでもよい。前記分析情報表示手段は、前記選択した項目に対する前記絞り込み情報セットを、分析情報としてグラフ形式で表示する。ここでいう、分析とは、特に制限されないが、例えば、前記選択した項目データの平均値の算出等があげられる。
【００５０】
以下、前記分析情報表示手段について、図６（ａ）〜（ｂ）の説明図を用いて、さらに説明する。図６（ａ）に示すように、前記分析情報表示手段は、分析対象の項目を選択するために分析メニュー「この行の平均値を算出」６２０を表示してもよい。項目３３を選択することにより、前記分析情報表示手段は、図６（ｂ）に示すように、前記選択した項目３３に対応する前記絞り込み情報セットを、分析情報としてグラフ形式で表示する。
【００５１】
図６（ａ）の説明図では、メニュー６２０において、前記分析メニューは、絞り込み条件を表示するメニューと一体化されているが、本実施形態の表示装置１は、これに限定されず、両メニューは分離されていてもよい。
【００５２】
本実施形態の情報表示装置１は、前記分析情報表示手段を含むことにより、必要な項目の情報についてすぐに分析することが可能である。
【００５３】
前記分析情報表示手段は、情報表示装置１の構成に含んでもよいし、分析装置として、情報表示装置１の構成から独立してもよい。この場合、本実施形態において、情報分析システム１００は、情報表示装置１および前記分析装置（情報分析装置）を含む構成となる。
【００５４】
次に、本実施形態の情報表示方法について、図７のフローチャートを用いて説明する。
【００５５】
本実施形態の情報表示方法は、例えば、図１に示す本実施形態の情報表示装置１を用いて、次のように実施する。なお、本実施形態の情報表示方法は、図１の情報表示装置１の使用に限定されない。
【００５６】
まず、情報セット表示手段１１により、１以上の項目と前記各項目に対応する各情報とを表示する（情報セット表示工程、Ｓ１）。次に、条件表示手段１２により、前記項目の選択により、前記項目の絞り込み条件のうち、１以上の絞り込み条件をメニュー表示する（条件表示工程、Ｓ２）。次に、前記絞り込み条件の選択により、絞り込み情報セット表示手段１３により、前記表示された項目と前記項目に対応する情報とについて、前記選択した絞り込み条件に該当する１以上の絞り込み項目と前記各絞り込み各項目に対応する各絞り込み情報とを表示する（絞り込み情報セット表示工程、Ｓ３）。Ｓ２とＳ３とが、交互に実行可能であり、例えば、選択されていない絞り込み条件がある場合（ＹＥＳ）、Ｓ２およびＳ３が交互に実行される。この場合、Ｓ２は、ｎ回目（ｎは、２以上の整数）以降の実行において、ｎ−１回目以前の実行で未選択の絞り込み条件を表示する。選択されていない絞り込み条件がない場合（ＮＯ）、本実施形態の情報表示方法の工程を終了する。
【００５７】
本実施形態において、前記情報セット表示工程および前記絞り込み情報セット表示工程は、例えば、それぞれ、前記項目と前記項目に対応する情報とを、テーブル形式およびグラフ形式の少なくとも一方の形式で表示する。
【００５８】
本実施形態の情報表示方法では、条件表示工程（Ｓ２）により、絞り込み条件がメニュー表示され、表示された絞り込み条件の中から特定の絞り込み条件を選択することにより、前記表示された項目と前記項目に対応する情報とを絞り込む絞り込み情報が表示される。前記絞り込み条件は、例えば、ユーザーの好みに合わせて任意に設定可能であり、例えば、情報セット表示工程（Ｓ１）により表示された各項目から１回の選択で、特定の条件で絞り込んだ項目およびそれに対応する情報を表示でき、さらに、別の条件で絞り込んだ項目およびそれに対応する情報を表示することができる。このように、本実施形態の情報表示方法は、所望の条件で目的項目の情報を容易に表示可能である。
【００５９】
本実施形態の情報表示方法は、条件非表示工程（Ｓ２１）を含んでもよい。Ｓ２１は、前記条件表示工程（Ｓ２）でメニュー表示された絞り込み条件のうち、いずれかを選択することにより、選択した絞り込み条件について、非表示をメニュー表示し、前記非表示の選択により、前記選択した絞り込み条件を非表示とする。
【００６０】
本実施形態の情報表示方法は、さらに、情報非表示工程（Ｓ２２）を含んでもよい。Ｓ２２は、前記条件非表示工程（Ｓ２１）により非表示と選択した前記絞り込み条件に該当する情報を、非表示とする。
【００６１】
本実施形態の情報表示方法は、さらに、条件再表示工程（Ｓ２３）を含んでもよい。Ｓ２３は、前記項目の選択により、前記非表示の絞り込み条件の再表示をメニュー表示し、前記再表示の選択により、前記非表示の絞り込み条件を再表示する。
【００６２】
本実施形態の情報表示方法は、さらに、情報再表示工程（Ｓ２４）を含んでもよい。Ｓ２４は、前記条件再表示工程（Ｓ２３）により再表示と選択した前記絞り込み条件に該当する情報を、再表示する。
【００６３】
本実施形態において、各工程（Ｓ２１〜Ｓ２４）は、例えば、Ｓ２の後に行ってもよいし、Ｓ３の後に行ってもよい。
【００６４】
本実施形態の情報表示方法は、前記各工程（Ｓ２１−Ｓ２４）を含むことにより、例えば、不要な項目とそれに対応する情報を非表示にし、必要に応じて非表にした項目とそれに対応する情報を再表示可能である。これにより、目的項目の情報を容易に見つけ出すことができ、例えば、目的項目の情報について分析し易くなる。
【００６５】
本実施形態の情報表示方法は、さらに、入替表示工程（Ｓ３１）を含んでもよい。前記入替表示工程（Ｓ３１）は、表示された前記各項目のいずれかを選択することにより、前記選択した項目とそれに対応する情報とを、最上位の情報セットとして、最上位に入れ替えて表示する。Ｓ３１は、前記最上位の情報セットと、前記最上位の情報セットからの絞り込み情報セットとを、最上位の情報セットグループとして、最上位に入れ替えて表示することが好ましい。本実施形態の情報表示方法は、前記入替表示工程（Ｓ３１）を含むことにより、目的項目の情報を容易に見つけ出すことができ、例えば、目的項目の情報について分析し易くなる。本実施形態において、Ｓ３１は、例えば、Ｓ２の後に行ってもよいし、Ｓ３の後に行ってもよい。
【００６６】
本実施形態の情報表示方法は、さらに、ページ表示工程（Ｓ４１）を含んでもよい。Ｓ４１は、表示された前記各項目データのいずれかを選択することにより、前記選択した項目データとそれに対応する情報とを、最上位の情報セットとして表示するページに移動する。Ｓ４１は、前記最上位の情報セットと、前記最上位の情報セットからの絞り込み情報セットとを、前記ページに表示することが好ましい。本実施形態の情報表示方法は、Ｓ４１を含むことにより、目的項目内の情報について分析し易くなる。本実施形態において、Ｓ４１は、例えば、Ｓ２の後に行ってもよいし、Ｓ３の後に行ってもよい。
【００６７】
本実施形態の情報表示方法は、さらに、分析情報表示工程（Ｓ５１）を含んでもよい。Ｓ５１は，前記選択した項目に対する前記絞り込み情報セットを、分析情報としてグラフ形式で表示する。本実施形態の情報表示方法は、前記分析情報表示工程（Ｓ５１）を含むことにより、必要な項目の情報についてすぐに分析することが可能である。本実施形態において、Ｓ５１は、例えば、Ｓ２の後に行ってもよいし、Ｓ３の後に行ってもよい。
【００６８】
次に、本実施形態の情報表示方法を業績管理システムの予算額等の会計情報の表示方法に適用した場合の具体例について、図８〜図１４を用いて説明する。
【００６９】
図８に示すように、情報セット表示手段１１により情報セット１１０が表示される。情報セット１１０として、テーブルの縦軸の項目には、ＧＰ（売上総利益）、売上高、および売上原価が表示されており、横軸の項目には、予算、実績見込、および差異が表示されており、縦軸の各項目および横軸の各項目に対応した金額が表示されている。
【００７０】
次に、売上原価を選択すると、図９に示すように、条件表示手段１２により、売上原価を絞り込む絞り込み条件がメニュー１２０で表示される。売上原価を選択することにより、例えば、前記テーブルの上のＧＰのグラフに「９０％」のデータが表示される。図９に示すように、前記絞り込み条件として、ＰＪ（プロジェクト）、費用区分、期間、およびグループの４つの絞り込み条件が表示される。
【００７１】
次に、前記絞り込み条件のＰＪを選択すると、図１０に示すように、絞り込み情報セット表示手段１３により、前記売上原価のうち、前記選択したＰＪに該当する絞り込み情報セット１３０が表示される。図１０に示すように、前記絞り込み情報セット１３０として、項目名ＰＪ１〜ＰＪ９と、それぞれの絞り込み情報が表示される。
【００７２】
次に、絞り込み情報セット１３０の項目ＰＪ４を選択することにより、図１１に示すように、条件表示手段１２により、項目ＰＪ４を絞り込む絞り込み条件のうち１回目の実行で選択されなかった絞り込み条件を選択可能なようにメニュー１４０が表示される。図１１に示すように、前記絞り込み条件として、費用区分、期間、およびグループが表示される。
【００７３】
次に、前記絞り込み条件の費用区分を選択すると、情報セット表示手段１３により、図１２に示すように、前記ＰＪ４のうち、前記選択した費用区分に該当する絞り込み情報セット１５０が表示される。図１２に示すように、前記絞り込み情報セット１５０の項目として、ＳＷ労管費、派遣、一括、資材費、直接経費、社内誌家、およびその他と、各項目に対応する情報が表示される。
【００７４】
次に、前記情報セット１１０の項目予算を選択すると、図１３に示すように、条件表示手段１１により、予算を絞り込む絞り込み条件がメニュー１１０で表示される。図１３に示すように、前記絞り込み条件として月別が表示される。
【００７５】
次に、前記絞り込み条件の月別を選択すると、図１４に示すように、絞り込み情報セット表示手段１３により、前記予算のうち、前記選択した月別に該当する絞り込み情報セットが表示される。図１４に示すように、前記絞り込み情報セットとして、項目名予算１０月および１１月と、各項目に対応する情報が表示される。
【００７６】
このように、本実施形態の情報表示装置および情報分析方法は、業績管理システムの予算額等の会計情報の表示装置または表示方法に好適に使用可能である。但し、本実施形態の情報表示装置および情報表示方法は、業績管理システムの会計情報に限定されず、上述した業績管理に関する個々の情報の表示装置および表示方法に好適に使用可能である。また、本実施形態の情報表示装置および情報表示方法は、業績管理システムに限定されず、小売分野、教育分野、医療分野、行政分野等に好適に使用可能である。
【００７７】
前記使用分野が小売分野の場合、商品管理システムに関する個々の情報の表示装置および表示方法に好適に使用可能である。一例としては、例えば、前記情報が、販売数の場合は、情報セット表示手段１１により表示される項目を全店とし、絞り込み情報セット表示手段１３により表示される絞り込み条件を地域別、従業者数別等適宜設定すればよい。このように本実施形態の情報表示装置および情報表示方法を適用した場合、例えば、どのエリアが、販売数が大きいのか、という情報がわかるだけでなく、特定のエリアの中で、従業者数がどの程度が最も販売数が大きいのか、という情報もわかるため、多様な分析が可能となる。
【００７８】
前記使用分野が教育分野の場合、教員および生徒に関する情報管理システムにおいて、個々の情報の表示装置および表示方法に好適に使用可能である。一例としては、例えば、前記情報が教科の評点の場合は、情報セット表示手段１１により表示される項目を生徒全体とし、絞り込み情報セット表示手段１３により表示される絞り込み条件をクラス別、性別等適宜設定すればよい。このように本実施形態の情報表示装置および情報表示方法を適用した場合、例えば、どのクラスが最も強化の評点が高いのか、という情報がわかるだけでなく、特定のクラスの中で、男女のどちらが、評点が高いのか、という情報もわかるため、多様な分析が可能となる。
【００７９】
前記使用分野が医療分野の場合、患者に関する情報管理システムにおいて、個々の情報の表示装置および表示方法に好適に使用可能である。一例としては、例えば、前記情報が、医療費の場合は、情報セット表示手段１１により表示される項目を医療費の総額とし、絞り込み情報セット表示手段１３により表示される絞り込み条件を病気別、年齢別等適宜設定すればよい。このように本実施形態の情報表示装置および情報表示方法を適用した場合、例えば、どの患者が最も医療費が高いのか、という情報がわかるだけでなく、特定の病気の患者の中でどの年齢層が最も医療費が高いのか、という情報もわかるため、多様な分析が可能となる。
【００８０】
前記使用分野が行政分野の場合、住民に関する情報管理システムにおいて、個々の情報の表示装置および表示方法に好適に使用可能である。一例としては、例えば、前記情報が、世帯数の場合は、情報セット表示手段１１により表示される項目を全体の世帯数とし、絞り込み情報セット表示手段１３により表示される絞り込み条件をエリア別、既婚未婚別等適宜設定すればよい。このように本実施形態の情報表示装置および情報表示方法を適用した場合、例えば、どのエリアが、世帯数が最も多いのか、という情報がわかるだけでなく、特定のエリアの中での既婚者数および未婚者数の情報がわかるため、多様な分析が可能となる。
【００８１】
本実施形態のプログラムは、前述の表示方法または表示分析方法を、コンピュータ上で実行可能なプログラムである。または、本実施形態のプログラムは、例えば、コンピュータ読み取り可能な記録媒体に記録されてもよい。前記記録媒体としては、特に限定されず、例えば、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。
【００８２】
以上、実施形態を参照して本願発明を説明したが、本願発明は、上記実施形態に限定されるものではない。本願発明の構成や詳細には、本願発明のスコープ内で当業者が理解し得る様々な変更をすることができる。
【産業上の利用可能性】
【００８３】
本実施形態の表示装置、表示分析装置、表示システム、表示分析システム、表示方法、および表示分析方法は、特に制限されず、業務管理分野、小売分野、教育分野、医療分野、行政分野等に好適に適用可能である。
【符号の説明】
【００８４】
１  情報表示装置
２  データベース
３  通信回線網
１１  情報セット表示手段
１２  条件表示手段
１３  絞り込み情報セット表示手段
１００  情報表示システム
【図１】
0006525252.tif 000002
【図２】
0006525252.tif 000003
【図３】
0006525252.tif 000004
【図４】
0006525252.tif 000005
【図５】
0006525252.tif 000006
【図６】
0006525252.tif 000007
【図７】
0006525252.tif 000008
【図８】
0006525252.tif 000009
【図９】
0006525252.tif 000010
【図１０】
0006525252.tif 000011
【図１１】
0006525252.tif 000012
【図１２】
0006525252.tif 000013
【図１３】
0006525252.tif 000014
【図１４】
0006525252.tif 000015